(57)【要約】【課題】ディスクブレーキのシリンダとピストンとの嵌合部を覆蓋するダストブーツを容易且つ迅速に組み付けることができるようにする。【解決手段】シリンダ部１８の開口部に取付穴４８がそのまま開口するように設けられる一方、ダストブーツ３０のシリンダ側取付部４０にはコイル材５０がインサート成形により一体的に埋設され、コイル材５０の剛性に基づいて取付穴４８の内周面に密着するように嵌合（圧入）されるため、シリンダ側取付部４０を取付穴４８に対して容易且つ迅速に組み付けることができる。ピストン２４の先端部には外向きフランジ５６が設けられ、ピストン側取付部４２がピストン２４の後端から嵌合されてそのピストン２４の外周面に密着させられ且つ外向きフランジ５６に当接するように配設されるため、ピストン側取付部４２についてもピストン２４に対して容易且つ迅速に組み付けることができる。【選択図】      図１
2004190841.tif 000002
【特許請求の範囲】
【請求項１】
有底円筒形状のシリンダに摺動可能に嵌合されたピストンが該シリンダの開口から突き出されることにより、ブレーキパッドがディスクロータに押圧されて制動力を発生するディスクブレーキにおいて、該シリンダの開口部と該ピストンの外周面とに跨がって配設され、それ等の嵌合部を覆蓋する円環形状のゴム製のダストブーツの取付構造であって、
前記シリンダの開口部には前記ピストンよりも大きい内径寸法の取付穴がそのまま開口するように設けられ、前記ダストブーツに一体に設けられるとともに円環形状の補強部材がインサート成形されたシリンダ側取付部が、該補強部材の剛性に基づいて該取付穴の内周面に密着するように嵌合されている一方、
前記ピストンの先端部には外向きフランジが設けられ、前記ダストブーツに一体に設けられたピストン側取付部が、該ピストンの後端から嵌合されて該ピストンの外周面に密着させられ且つ該外向きフランジに当接するように配設されている
ことを特徴とするディスクブレーキのダストブーツ取付構造。
【請求項２】
前記シリンダ側取付部および前記ピストン側取付部は略同じ径寸法で、前記ピストンが前記シリンダに組み付けられた状態では、該ピストン側取付部が該シリンダ側取付部と前記外向きフランジとの間に位置決めされるとともに、該ピストン側取付部によって該シリンダ側取付部が前記取付穴から抜け出すことが阻止される
ことを特徴とする請求項１に記載のディスクブレーキのダストブーツ取付構造。
【請求項３】
有底円筒形状のシリンダに摺動可能に嵌合されたピストンが該シリンダの開口から突き出されることにより、ブレーキパッドがディスクロータに押圧されて制動力を発生するディスクブレーキにおいて、該シリンダの開口部と該ピストンの外周面とに跨がって配設され、それ等の嵌合部を覆蓋する円環形状のゴム製のダストブーツの取付構造であって、
前記シリンダの開口部には前記ピストンよりも大きい内径寸法の取付穴がそのまま開口するように設けられ、前記ダストブーツに一体に設けられるとともに円環形状の補強部材がインサート成形されたシリンダ側取付部が、該補強部材の剛性に基づいて該取付穴の内周面に密着するように嵌合されている
ことを特徴とするディスクブレーキのダストブーツ取付構造。
【請求項４】
前記補強部材は断面が円形の線材を巻回したコイル材である
ことを特徴とする請求項１〜３の何れか１項に記載のディスクブレーキのダストブーツ取付構造。
【請求項５】
有底円筒形状のシリンダに摺動可能に嵌合されたピストンが該シリンダの開口から突き出されることにより、ブレーキパッドがディスクロータに押圧されて制動力を発生するディスクブレーキにおいて、該シリンダの開口部と該ピストンの外周面とに跨がって配設され、それ等の嵌合部を覆蓋する円環形状のゴム製のダストブーツの取付構造であって、
前記ピストンの先端部には外向きフランジが設けられ、前記ダストブーツに一体に設けられたピストン側取付部が、該ピストンの後端から嵌合されて該ピストンの外周面に密着させられ且つ該外向きフランジに当接するように配設されている
ことを特徴とするディスクブレーキのダストブーツ取付構造。
【請求項６】
前記ピストンの外周面には、前記ピストン側取付部が該ピストンの後端側へ移動することを制限して前記外向きフランジに当接する状態に位置決めする突起が一体に設けられている
ことを特徴とする請求項１、２、または５に記載のディスクブレーキのダストブーツ取付構造。
【請求項７】
前記ピストンの外周面であって、前記ピストン側取付部が前記外向きフランジに当接させられる該ピストン側取付部の配設部位には、該ピストン側取付部が該ピストンの後端側へ移動することを制限する小径部が設けられている
ことを特徴とする請求項１、２、または５に記載のディスクブレーキのダストブーツ取付構造。
【発明の詳細な説明】
【０００１】
【発明の属する技術分野】
本発明はディスクブレーキに係り、特に、シリンダの開口部とピストンの外周面とに跨がって配設される円環形状のゴム製のダストブーツの取付構造に関するものである。
【０００２】
【従来の技術】
有底円筒形状のシリンダに摺動可能に嵌合されたピストンがそのシリンダの開口から突き出されることにより、ブレーキパッドがディスクロータに押圧されて制動力を発生するディスクブレーキが、車両用の常用ブレーキとして広く知られている。そして、このようなディスクブレーキにおいては、シリンダの開口部とピストンの外周面とに跨がって円環形状のゴム製のダストブーツが設けられ、それ等の嵌合部を覆蓋して砂塵や水、泥などの異物が侵入することを防止するようになっている（特許文献１参照）。
【０００３】
図４のダストブーツ１００は一例で、それぞれ断面が略矩形の円環形状のシリンダ側取付部１０２およびピストン側取付部１０４を一体に備えており、シリンダ側取付部１０２はシリンダ１０６に設けられた内向きの環状溝１０８内に嵌め入れられて一体的に固定されている一方、ピストン側取付部１０４はピストン１１０の外周面に設けられた外向きの環状溝１１２内に嵌め入れられて一体的に固定されている。また、シリンダ側取付部１０２は、金属製のブーツリング１１４によって環状溝１０８内に押圧されて離脱不能に位置決めされている。
【０００４】
【特許文献１】
特開昭６４−３５１３０号公報
【０００５】
【発明が解決しようとする課題】
しかしながら、このような従来のダストブーツ取付構造においては、シリンダ側取付部およびピストン側取付部を、何れも環状溝に嵌め入れる必要があるため、組付作業が面倒で製造コストが高くなる。特に、シリンダ側取付部については、別体のブーツリングを用いて固定する必要があるため、組付作業が一層面倒であった。
【０００６】
本発明は以上の事情を背景として為されたもので、その目的とするところは、シリンダおよびピストンに対してダストブーツを容易且つ迅速に組み付けることができるようにすることにある。
【０００７】
【課題を解決するための手段】
かかる目的を達成するために、第１発明は、(a) 有底円筒形状のシリンダに摺動可能に嵌合されたピストンがそのシリンダの開口から突き出されることにより、ブレーキパッドがディスクロータに押圧されて制動力を発生するディスクブレーキにおいて、(b) 前記シリンダの開口部と前記ピストンの外周面とに跨がって配設され、それ等の嵌合部を覆蓋する円環形状のゴム製のダストブーツの取付構造であって、(c) 前記シリンダの開口部には前記ピストンよりも大きい内径寸法の取付穴がそのまま開口するように設けられ、前記ダストブーツに一体に設けられるとともに円環形状の補強部材がインサート成形されたシリンダ側取付部が、その補強部材の剛性に基づいてその取付穴の内周面に密着するように嵌合されている一方、(d) 前記ピストンの先端部には外向きフランジが設けられ、前記ダストブーツに一体に設けられたピストン側取付部が、そのピストンの後端から嵌合されてそのピストンの外周面に密着させられ且つその外向きフランジに当接するように配設されていることを特徴とする。
【０００８】
第２発明は、第１発明のディスクブレーキのダストブーツ取付構造において、前記シリンダ側取付部および前記ピストン側取付部は略同じ径寸法で、前記ピストンが前記シリンダに組み付けられた状態では、そのピストン側取付部がそのシリンダ側取付部と前記外向きフランジとの間に位置決めされるとともに、そのピストン側取付部によってそのシリンダ側取付部が前記取付穴から抜け出すことが阻止されることを特徴とする。
【０００９】
第３発明は、(a) 有底円筒形状のシリンダに摺動可能に嵌合されたピストンがそのシリンダの開口から突き出されることにより、ブレーキパッドがディスクロータに押圧されて制動力を発生するディスクブレーキにおいて、(b) そのシリンダの開口部とそのピストンの外周面とに跨がって配設され、それ等の嵌合部を覆蓋する円環形状のゴム製のダストブーツの取付構造であって、(c) 前記シリンダの開口部には前記ピストンよりも大きい内径寸法の取付穴がそのまま開口するように設けられ、前記ダストブーツに一体に設けられるとともに円環形状の補強部材がインサート成形されたシリンダ側取付部が、その補強部材の剛性に基づいてその取付穴の内周面に密着するように嵌合されていることを特徴とする。
【００１０】
第４発明は、第１発明〜第３発明の何れかのディスクブレーキのダストブーツ取付構造において、前記補強部材は断面が円形の線材を巻回したコイル材であることを特徴とする。
【００１１】
第５発明は、(a) 有底円筒形状のシリンダに摺動可能に嵌合されたピストンがそのシリンダの開口から突き出されることにより、ブレーキパッドがディスクロータに押圧されて制動力を発生するディスクブレーキにおいて、(b) そのシリンダの開口部とそのピストンの外周面とに跨がって配設され、それ等の嵌合部を覆蓋する円環形状のゴム製のダストブーツの取付構造であって、(c) 前記ピストンの先端部には外向きフランジが設けられ、前記ダストブーツに一体に設けられたピストン側取付部が、そのピストンの後端から嵌合されてそのピストンの外周面に密着させられ且つその外向きフランジに当接するように配設されていることを特徴とする。
【００１２】
第６発明は、第１発明、第２発明、または第５発明のディスクブレーキのダストブーツ取付構造において、前記ピストンの外周面には、前記ピストン側取付部がそのピストンの後端側へ移動することを制限して前記外向きフランジに当接する状態に位置決めする突起が一体に設けられていることを特徴とする。
【００１３】
第７発明は、第１発明、第２発明、または第５発明のディスクブレーキのダストブーツ取付構造において、前記ピストンの外周面であって、前記ピストン側取付部が前記外向きフランジに当接させられるそのピストン側取付部の配設部位には、そのピストン側取付部がそのピストンの後端側へ移動することを制限する小径部が設けられていることを特徴とする。
【００１４】
【発明の効果】
第１発明のディスクブレーキのダストブーツ取付構造においては、シリンダの開口部に取付穴がそのまま開口するように設けられ、円環形状の補強部材がインサート成形されたシリンダ側取付部が、その補強部材の剛性に基づいて取付穴の内周面に密着するように嵌合（圧入）されるため、シリンダ側取付部を取付穴に対して容易且つ迅速に組み付けることができる。特に、補強部材がインサート成形によりシリンダ側取付部に一体的に設けられているため、シリンダ側取付部が取付穴の内周面に良好に密着させられて泥水や砂塵等の異物の侵入が一層効果的に防止されるとともに、従来のように別体のリング部材を用いて固定する場合に比較して組付作業が一層容易になる。なお、第３発明も同様の作用効果が得られる。
【００１５】
一方、ピストンの先端部には外向きフランジが設けられ、ピストン側取付部がピストンの後端から嵌合されてそのピストンの外周面に密着させられ且つ外向きフランジに当接するように配設されるため、ピストン側取付部についてもピストンに対して容易且つ迅速に組み付けることができる。なお、第５発明も同様の作用効果が得られる。
【００１６】
第２発明では、シリンダ側取付部およびピストン側取付部が略同じ径寸法で、ピストン側取付部がシリンダ側取付部と外向きフランジとの間に位置決めされるとともに、ピストン側取付部によってシリンダ側取付部が取付穴から抜け出すことが阻止されるため、それ等のシリンダ側取付部およびピストン側取付部の装着強度が比較的緩い場合でもそれぞれ所定位置に位置決めされ、組付作業性が更に向上する。
【００１７】
第４発明では、シリンダ側取付部にインサート成形により一体的に設けられる補強部材として、断面が円形の線材を巻回したコイル材が用いられるため、補強部材自体の縮径が可能で、所定の装着強度を確保しながらゴム製のシリンダ側取付部を弾性変形させつつ容易に取付穴内に嵌合することができるとともに、所定の装着強度が得られるコイル材を簡単且つ安価に入手することが可能で、製造コストが一層低減される。
【００１８】
第６発明では、ピストンの外周面に設けられた突起によってピストン側取付部が外向きフランジに当接する状態に位置決めされるため、泥水や砂塵等の異物の侵入が一層効果的に防止される。
【００１９】
第７発明では、ピストンの外周面に小径部が設けられて、ピストン側取付部が外向きフランジに当接する配設部位に位置決めされるため、第５発明と同様に泥水や砂塵等の異物の侵入が一層効果的に防止される。
【００２０】
【発明の実施の形態】
本発明は、例えばシリンダがキャリパに一体に設けられてディスクロータの両側面に一対のブレーキパッドを押圧する車両用のディスクブレーキに好適に適用されるが、少なくともピストンがシリンダの開口から突き出されることによりブレーキパッドをディスクロータに押圧して制動力を発生する種々のタイプのディスクブレーキに適用され得る。
【００２１】
シリンダ側取付部が装着される取付穴は、ピストンが嵌合されるシリンダボアよりも大径で、且つ環状溝のように径寸法が小さくなることなくそのまま開口するように設けられるが、取付穴の開口側に更に内径寸法が大きい大径穴を設けることは、シリンダ側取付部の装着に影響しないため差し支えない。
【００２２】
ピストンは、例えば金属板材を用いてプレスによる絞り加工で有底円筒形状に成形し、その底部側からシリンダ内に嵌合されるとともに開口側がシリンダから突き出すように設けられ、その場合は、絞り加工などで開口部に外向きフランジを容易に設けることができるが、鍛造加工や切削加工などで外向きフランジを一体に有するピストンを製造することもできるなど、製造方法は特に限定されない。外向きフランジは全周に円環形状に設けることが望ましいが、周方向に離間して複数の外向きフランジを放射状に設けることも可能である。
【００２３】
第２発明では、シリンダ側取付部およびピストン側取付部が略同じ径寸法で、軸方向に所定の隙間を隔てて直列に装着されるが、第１発明の実施に際しては、シリンダ側取付部の径寸法をピストン側取付部よりも大径として、両者が軸方向の略同じ位置で径方向に重なるように配設するなど、種々の態様が可能である。
【００２４】
第３発明はシリンダ側取付部とシリンダとの取付構造に関するもので、ピストン側取付部とピストンとの取付構造については特に制限されず、例えば前記図４の従来例と同様にピストンの外周面に設けられた環状溝に嵌め入れて固定したり、別体のリング部材などで環状溝内に位置決めしたりするなど、種々の態様を採用できる。
【００２５】
第４発明では、補強部材として断面が円形の線材を巻回したコイル材が用いられているが、他の発明の実施に際しては、板状の線材を巻回したコイル材や両端が閉じている断面円形或いは板状のリングなど、種々の補強部材を採用できる。補強部材は、ばね鋼やその他の鋼材などの金属材料が好適に用いられるが、強化プラスチックなど金属以外の材料製であっても良い。また、完全にシリンダ側取付部の内部に埋設されるように設けることが望ましいが、例えば一部がシリンダ側取付部の内周面等に露出していても良いなど、種々の態様が可能である。第４発明のコイル材の巻数は、所望の装着強度（取付強度）が得られるように適宜定められる。なお、ピストン側取付部にも、必要に応じて同様の補強部材をインサート成形により一体的に設けることが可能である。
【００２６】
第５発明はピストン側取付部とピストンとの取付構造に関するもので、シリンダ側取付部とシリンダとの取付構造については特に制限されず、例えば前記図４の従来例と同様にシリンダの内周面に設けられた環状溝に嵌め入れて固定したり、別体のリング部材などで環状溝内に位置決めしたりするなど、種々の態様を採用できる。
【００２７】
第６発明の突起は、例えばプレスによる圧縮加工や外周面の研磨加工などで設けることができ、第７発明の小径部は、外周面の研磨加工などで設けることができるが、他の発明の実施に際しては、それ等の突起や小径部が無くて一定の径寸法で外周面を形成しても良い。第７発明の小径部は、従来の環状溝程深いものではなく、ピストン側取付部を容易にピストンに嵌合して組み付けることができるように、例えば深さ寸法ｄが０．５〜２．０ｍｍの範囲内で設けることが望ましい。第６発明の突起の高さ寸法についても、深さ寸法ｄと同程度の寸法に定められる。第６発明や第７発明のように、ピストン側取付部を外向きフランジに当接させる場合は、円環形状の外向きフランジを採用することにより、全周に亘って泥水や砂塵等の異物の侵入が一層効果的に防止される。なお、第６発明の突起および第７発明の小径部は、ピストンの全周に円環状に設けることが望ましいが、周方向の一部に部分的に設けるだけでも良い。
【００２８】
【実施例】
以下、本発明の実施例を図面を参照しつつ詳細に説明する。
図１は車両用ディスクブレーキ１０の要部を説明する図で、(a) は車輪の軸心と平行な断面図で、図の左側が車体側であり、(b) は(a) におけるＢ部の拡大図である。図中、１２はディスクロータ、１４はキャリパ、１６はマウンティングブラケットで、ディスクロータ１２は図示しない車輪と一体的に回転させられるようになっている。キャリパ１４は、ディスクロータ１２の軸心と平行な軸心を有する有底円筒形状のシリンダ部１８と、ディスクロータ１２の外周側を跨ぐようにそのシリンダ部１８から一体に延び出して設けられた連結部２０と、ディスクロータ１２を挟んでシリンダ部１８と反対側に位置するように連結部２０に一体に設けられた爪部２２とを備えており、シリンダ部１８内にはピストン２４が軸方向の摺動可能に嵌合されている。ピストン２４は、油圧室２６にブレーキ油圧が作用させられることにより、シリンダ部１８の開口部からディスクロータ１２に向かって突き出される一方、シール部材２８の弾性復元力によって所定寸法だけシリンダ部１８内に引き込まれる。また、シール部材２８よりも外側、すなわちシリンダ部１８の開口部には、ピストン２４とに跨がってダストブーツ３０が設けられている。本実施例ではキャリパ１４のシリンダ部１８がシリンダに相当する。
【００２９】
上記ピストン２４とディスクロータ１２との間にはインナパッド３２が配設されているとともに、ディスクロータ１２と爪部２２との間には、そのディスクロータ１２を挟んでインナパッド３２と対向するようにアウタパッド３４が配設されている。インナパッド３２およびアウタパッド３４は、それぞれディスクロータ１２に押圧されて制動力を発生する摩擦材３６と、その摩擦材３６の裏側に固設された金属製の裏板３８とを備えている。そして、車両の制動時にシリンダ部１８内へ供給されたブレーキ油圧によってピストン２４がディスクロータ１２に向かって突き出されると、インナパッド３２がディスクロータ１２の図１における左側面に押圧されるとともに、その反作用でキャリパ１４が図１の左方向へ移動させられることにより、爪部２２によってアウタパッド３４がディスクロータ１２の図１における右側面に押圧される。インナパッド３２およびアウタパッド３４はブレーキパッドに相当する。
【００３０】
前記マウンティングブラケット１６は、車両のナックル等に固設される支持部材に相当するもので、複数のスライドピンを介してキャリパ１４をディスクロータ１２の軸心方向（図１(a) における左右方向）の移動可能、且つディスクロータ１２の回転平面と平行な平面内の移動不能に支持している。また、マウンティングブラケット１６には、前記インナパッド３２およびアウタパッド３４をそれぞれ所定の遊びを有してディスクロータ１２の回転平面と平行な平面内の移動不能に保持する一対のパッド保持部が一体に設けられており、それ等のインナパッド３２およびアウタパッド３４の制動トルクを受け止めるようになっている。
【００３１】
一方、前記ダストブーツ３０は、シリンダ部１８の開口部とピストン２４の外周面とに跨がって配設され、それ等の嵌合部を覆蓋して泥水や砂塵などの異物の侵入を防止するためのもので、弾性変形可能なゴム製で円環形状を成しており、それぞれ断面が矩形（長方形）で略同じ径寸法の一対のシリンダ側取付部４０およびピストン側取付部４２と、それ等の取付部４０、４２を連結するように設けられた薄肉円筒形状の変形部４４とを備えている。シリンダ側取付部４０はシリンダ部１８の開口部に取り付けられるもので、その開口部にはシリンダボア４６の径寸法すなわちピストン２４の外径よりも大きい内径寸法の取付穴４８が設けられ、シリンダ側取付部４０はその取付穴４８内に嵌合されている。シリンダ側取付部４０には、補強部材として断面が円形の線材を巻回したコイル材５０が加硫時のインサート成形により一体的に埋設されている一方、取付穴４８は環状溝のように径寸法が小さくなることなくそのまま開口させられており、シリンダ側取付部４０は、コイル材５０の剛性に基づいて取付穴４８の内周面および底面に密着するように高い装着強度で圧入固定されている。コイル材５０の太さや巻数は、所定の装着強度（取付強度）が得られるように適宜定められ、本実施例では２〜３程度の巻数である。シリンダ側取付部４０にはまた、図２に示すように取付穴４８の内周面および底面に接する外周面および端面にそれぞれ環状突起（シールリップ）５２、５４が一体に設けられており、それ等の環状突起５２、５４が取付穴４８に高い面圧で押圧されることにより、異物の侵入がより効果的に防止されるようになっている。
【００３２】
ピストン側取付部４２は、ピストン２４の外周面に取り付けられるもので、ピストン２４の後端から嵌合されて自身の弾性によりピストン２４の外周面に密着させられるとともに、ピストン２４の先端部に設けられた外向きフランジ５６に当接させられている。ピストン２４は、金属板材をプレスによる絞り加工などで有底円筒形状に成形したもので、その底部側からシリンダボア４６内に嵌合されるとともに開口側がシリンダ部１８から突き出す姿勢で配設されており、その開口端縁には、全周に亘って外周側へ円環形状に延び出す外向きフランジ５６が絞り加工などで設けられている。このピストン側取付部４２にも、ピストン２４の外周面および外向きフランジ５６に接する内周面および端面に環状突起（シールリップ）を設けたり、前記コイル材５０のような補強部材をインサート成形により一体的に埋設したりすることが可能である。
【００３３】
上記シリンダ側取付部４０およびピストン側取付部４２は略同じ径寸法で、ピストン２４がシリンダ部１８に組み付けられた状態では、ピストン側取付部４２がシリンダ側取付部４０と外向きフランジ５６との間に位置するように、ピストン２４の作動を許容しつつ軸方向に近接して配置されるようになっている。これにより、ピストン側取付部４２はシリンダ側取付部４０と外向きフランジ５６との間に位置決めされる一方、シリンダ側取付部４０はピストン側取付部４２によって取付穴４８から抜け出すことが阻止され、確実に取付穴４８内に保持される。前記取付穴４８の開口側には、更に内径寸法が大きい大径穴５８が設けられており、前記変形部４４はピストン側取付部４２の外周側において径方向に重なるように回曲させられ、大径穴５８の内側に略収容されるようになっている。
【００３４】
このような本実施例の車両用ディスクブレーキ１０においては、シリンダ部１８の開口部に取付穴４８がそのまま開口するように設けられる一方、ダストブーツ３０のシリンダ側取付部４０にはコイル材５０がインサート成形により一体的に埋設され、そのシリンダ側取付部４０はコイル材５０の剛性に基づいて取付穴４８の内周面に密着するように嵌合（圧入）されるため、シリンダ側取付部４０を取付穴４８に対して容易且つ迅速に組み付けることができる。特に、コイル材５０がインサート成形によりシリンダ側取付部４０に一体的に埋設されているため、シリンダ側取付部４０が取付穴４８の内周面に良好に密着させられて泥水や砂塵等の異物の侵入が一層効果的に防止されるとともに、従来のように別体のリング部材を用いて固定する場合に比較して組付作業が一層容易になる。
【００３５】
また、本実施例ではシリンダ側取付部４０にインサート成形により一体に設けられる補強部材として、断面が円形の線材を巻回したコイル材５０が用いられているため、補強部材自体の縮径が可能で、所定の装着強度を確保しながらゴム製の環状突起５２等を弾性変形させつつシリンダ側取付部４０を容易に取付穴４８内に嵌合することができるとともに、所定の装着強度が得られるコイル材５０を簡単且つ安価に入手することが可能で、製造コストが一層低減される。
【００３６】
一方、ピストン２４の先端部には外向きフランジ５６が設けられ、ピストン側取付部４２がピストン２４の後端から嵌合されてそのピストン２４の外周面に密着させられ且つ外向きフランジ５６に当接するように配設されるため、ピストン側取付部４２についてもピストン２４に対して容易且つ迅速に組み付けることができる。
【００３７】
また、本実施例ではシリンダ側取付部４０およびピストン側取付部４２が略同じ径寸法で、ピストン側取付部４２がシリンダ側取付部４０と外向きフランジ５６との間に位置決めされるとともに、ピストン側取付部４２によってシリンダ側取付部４０が取付穴４８から抜け出すことが阻止されるため、それ等のシリンダ側取付部４０およびピストン側取付部４２の装着強度が比較的緩い場合でもそれぞれ所定位置に位置決めされ、組付作業性が更に向上する。
【００３８】
なお、上記実施例ではピストン２４の外周面の径寸法が一定であったが、例えば図３の(a) に示すように、ピストン側取付部４２がピストン２４の後端側へ移動することを制限して外向きフランジ５６に当接する状態に位置決めする突起６０を、ピストン２４の全周に円環状に設けたり、図３の(b) に示すように、ピストン側取付部４２が外向きフランジ５６に当接させられる配設部位に、そのピストン側取付部４２がピストン２４の後端側へ移動することを制限する小径部６２を、ピストン２４の全周に円環状に設けたりすることも可能である。その場合は、何れもピストン側取付部４２が外向きフランジ５６に当接する状態に良好に保持されるため、泥水や砂塵等の異物の侵入が一層効果的に防止される。
【００３９】
上記突起６０は、例えばプレスによる圧縮加工で設けたり、外周面を研磨加工する際に積極的に削り残したりして設けることができ、小径部６２は、外周面を研磨加工する際に部分的に深く研磨するなどして設けることができる。また、小径部６２は、従来の環状溝（例えば図４の環状溝１１２など）程深いものではなく、ピストン側取付部４２を容易にピストン２４に嵌合して組み付けることができるように、例えば深さ寸法ｄが０．５〜２．０ｍｍの範囲内で設けられる。突起６０の高さ寸法についても、深さ寸法ｄと同程度の寸法に定められる。
【００４０】
以上、本発明の実施例を図面に基づいて詳細に説明したが、これはあくまでも一実施形態であり、本発明は当業者の知識に基づいて種々の変更、改良を加えた態様で実施することができる。
【図面の簡単な説明】
【図１】本発明の一実施例である車両用ディスクブレーキの要部を示す図で、(a) は車輪の軸心と平行な断面図、(b) は(a) におけるＢ部の拡大図である。
【図２】図１の実施例におけるダストブーツのシリンダ側取付部を単独で拡大して示す断面図である。
【図３】図１の実施例におけるダストブーツのピストン側取付部の取付構造の別の態様を説明する図である。
【図４】従来のディスクブレーキのダストブーツ取付構造の一例を示す断面図である。
【符号の説明】
１０：車両用ディスクブレーキ    １２：ディスクロータ    １８：シリンダ部（シリンダ）    ２４：ピストン    ３０：ダストブーツ    ３２：インナパッド（ブレーキパッド）    ３４：アウタパッド（ブレーキパッド）    ４０：シリンダ側取付部    ４２：ピストン側取付部    ４８：取付穴    ５０：コイル材（補強部材）    ５６：外向きフランジ    ６０：突起    ６２：小径部
【図１】
2004190841.tif 000003
【図２】
2004190841.tif 000004
【図３】
2004190841.tif 000005
【図４】
2004190841.tif 000006